(57)【要約】【課題】接続する携帯電話機のノイズキャンセル機能がオン／オフの状態毎にノイズキャンセル機能の調整ができるようにすること。【解決手段】ハンズフリー状態の携帯電話機は、該携帯電話機のノイズキャンセル機能がオンであるかオフであるかを判別する装置に接続し、該装置は、該携帯電話機により送信された擬似信号に基づいて、そのノイズキャンセル機能がオンであるかオフであるかを判別する。ハンズフリー電話装置は、擬似ノイズ及び擬似音声を生成し、生成した擬似ノイズと擬似音声とが合成された擬似信号を送信する擬似信号生成手段と、擬似信号に対して装置により送信されたノイズキャンセル機能がオンであるかオフであるかを示す情報に基づいて、ノイズキャンセル処理を行うノイズキャンセル手段とを備える。【選択図】図２
2008306561.tif 000002
【特許請求の範囲】
【請求項１】
携帯電話機との間で近距離無線通信を行い、該携帯電話機を介して他の電話装置との間で通信処理を行うハンズフリー電話装置であって、
前記携帯電話機は、ノイズキャンセル機能を備え、
ハンズフリー状態の携帯電話機は、該携帯電話機のノイズキャンセル機能がオンであるかオフであるかを判別するノイズキャンセル機能判別装置に接続し、該ノイズキャンセル機能判別装置は、該携帯電話機により送信された擬似信号に基づいて、そのノイズキャンセル機能がオンであるかオフであるかを判別し、
擬似ノイズ及び擬似音声を生成し、生成した擬似ノイズと擬似音声とが合成された擬似信号を送信する擬似信号生成手段と、
前記擬似信号に対して前記ノイズキャンセル機能判別装置により送信されたノイズキャンセル機能がオンであるかオフであるかを示す情報に基づいて、ノイズキャンセル処理を行うノイズキャンセル手段と
を備えることを特徴とするハンズフリー電話装置。
【請求項２】
請求項１に記載のハンズフリー電話装置において、
携帯電話機の識別子と、該携帯電話機がハンズフリー状態である場合にノイズキャンセル機能がオンであるかオフであるかを示す情報とを関連づけて記憶する記憶手段
を備え、
前記ノイズキャンセル手段は、前記記憶手段に記憶されたノイズキャンセル機能がオンであるかオフであるかを示す情報に基づいて、ノイズキャンセル処理を行うことを特徴とするハンズフリー電話装置。
【請求項３】
請求項２に記載のハンズフリー電話装置において、
接続された携帯電話機が前記記憶手段に記憶されているか否かを判定する判定手段
を備え、
前記擬似信号生成手段は、前記携帯電話機が前記記憶手段に記憶されていない場合に、前記ノイズキャンセル機能判別装置から、該携帯電話機に対するノイズキャンセル機能がオンであるかオフであるかを示す情報を取得するために、擬似信号を送信することを特徴とするハンズフリー電話装置。
【請求項４】
請求項１又は２に記載のハンズフリー電話装置において、
前記ノイズキャンセル機能判別装置は、前記擬似信号における擬似音声のレベルを求め、求めた擬似音声のレベルが予め決定される所定の閾値以上であるか否かを判別することにより、前記携帯電話機におけるノイズキャンセル機能がオンであるかオフであるかを判別することを特徴とするハンズフリー電話装置。
【請求項５】
請求項４に記載にハンズフリー電話装置において、
前記ノイズキャンセル機能判別装置は、前記擬似音声のレベルが前記所定の閾値以上である場合には前記携帯電話機におけるノイズキャンセル機能がオンであると判別し、前記擬似音声のレベルが前記所定の閾値未満である場合には前記携帯電話機におけるノイズキャンセル機能がオフであると判別することを特徴とするハンズフリー電話装置。
【請求項６】
請求項１ないし５のいずれか１項に記載のハンズフリー電話装置において、
前記ノイズキャンセル手段は、ユーザが発話した音声信号に対して、ノイズキャンセル処理を行うことを特徴とするハンズフリー電話装置。
【請求項７】
携帯電話機との間で近距離無線通信を行い、該携帯電話機を介して他の電話装置との間で通信処理を行うハンズフリー電話装置と接続されるノイズキャンセル機能判別装置であって、
前記携帯電話機は、ノイズキャンセル機能を備え、
前記ハンズフリー電話装置は、擬似ノイズ及び擬似音声を生成し、生成した擬似ノイズと擬似音声とが合成された擬似信号を送信し、該擬似信号を受信したハンズフリー状態の携帯電話機は、該擬似信号をノイズキャンセル機能判別装置に送信し、
前記擬似信号に基づいて、該携帯電話機のノイズキャンセル機能がオンであるかオフであるかを判別する判別手段と、
ノイズキャンセル機能がオンであるかオフであるか示す判別結果を、前記ハンズフリー電話装置に送信する送信手段と
を備えることを特徴とするノイズキャンセル機能判別装置。
【請求項８】
携帯電話機との間で近距離無線通信を行い、該携帯電話機を介して他の電話装置との間で通信処理を行うハンズフリー電話装置を備えるハンズフリーシステムにおけるノイズキャンセル方法であって、
ハンズフリー状態の携帯電話機が、該携帯電話機のノイズキャンセル機能がオンであるかオフであるかを判別するノイズキャンセル機能判別装置に接続する接続ステップと、
前記ハンズフリー電話装置が、擬似ノイズ及び擬似音声を生成し、生成した擬似ノイズと擬似音声とが合成された擬似信号を、前記ノイズキャンセル機能判別装置に送信する擬似信号送信ステップと、
前記ノイズキャンセル機能判別装置が、前記擬似信号に基づいて、該携帯電話機のノイズキャンセル機能がオンであるかオフであるかを判別する判別ステップと、
前記ハンズフリー電話装置が、前記擬似信号に対して送信されたノイズキャンセル機能がオンであるかオフであるかを示す情報に基づいて、ノイズキャンセル処理を行うノイズキャンセルステップと
を有することを特徴とするノイズキャンセル方法。
【発明の詳細な説明】
【技術分野】
【０００１】
本発明は、概して、車両に搭載され、車両走行中に携帯電話又は自動車電話を利用したハンズフリー通話を実現する車載電話システムに係り、特に、ハンズフリー通話品質を向上させたハンズフリー電話装置及びノイズキャンセル機能判別装置並びにノイズキャンセル方法に関する。
【背景技術】
【０００２】
従来、車両に搭載され、車両走行中に携帯電話機を利用したいわゆる「ハンズフリー通話」を実現する車載用ハンズフリー電話装置が知られている。
【０００３】
車載用ハンズフリー電話装置では、ユーザが発話した音声を音声信号に変換し、携帯電話機を介して公衆回線に送信するとともに、携帯電話機が公衆回線から受信した音声信号を音声に変換して出力する。
【０００４】
例えば、当該ハンズフリー電話装置に接続された携帯電話の機種における通話特性に関する特性パラメータを取得し、取得した特性パラメータに従って、ユーザが発話した音声を音声信号に変換するとともに、携帯電話が受信した音声信号を音声に変換する車載用ハンズフリー電話装置が開示されている（例えば、特許文献１参照）。このような、車載用ハンズフリー電話装置では、当該装置に接続される携帯電話の機種に応じて、適切な通話状態を確立することが可能である。
【０００５】
また、携帯電話機を車載アダプタに装着してハンズフリー通話するにあたって、車種に関係なく、良好な通信環境を提供できる車載用電話装置が開示されている（例えば、特許文献２参照）。この車載用電話装置では、車載アダプタに、車種に応じて異なる内部変数が記憶され、ティップスイッチによりその内部変数の中から任意の内部変数を選択できるようにし、携帯電話機が装着されたときにその選択された内部変数が読み出されるように構成される。携帯電話機は、その車載アダプタに装着されたときに、その読み出された内部変数に基づく特性をもって動作するように構成される。ディップスイッチは、車種に対応する状態に設定される。
【特許文献１】特開２００５−３４１４１３号公報
【特許文献２】特開平１０−２０９９５１号公報
【発明の開示】
【発明が解決しようとする課題】
【０００６】
しかしながら、上述した背景技術には以下の問題がある。
【０００７】
ノイズキャンセル機能を備えた車載用ハンズフリー電話装置では、マイクロフォンから入力される車両の騒音、いわゆるノイズを低減した後に、携帯電話機へと音声を伝送する。しかし、走行中の車室内は騒音が大きく、マイクロフォンに入力される音声のレベルと騒音のレベルとが同程度であり、騒音だけを完全に除去することは困難である。
【０００８】
一方、携帯電話機にもノイズキャンセル機能を備えているものがある。このノイズキャンセル機能を備えた携帯電話機がハンズフリー状態となった場合に、該ノイズキャンセル機能がオンであるかオフであるかは、その携帯電話機の仕様に依存する。
【０００９】
携帯電話機のノイズキャンセル機能がオフである場合には、車載用ハンズフリー電話装置のノイズキャンセル機能で除去しきれないノイズの一部が、通話相手に聞こえてしまう問題がある。一方、携帯電話機のノイズキャンセル機能がオンである場合には、ハンズフリーシステムで除去しきれないノイズの一部を、携帯電話機のノイズキャンセル機能で再度除去することになるため、音声やノイズの音色に違和感が現れ、通話相手に聞こえてしまう問題がある。
【００１０】
このため、携帯電話機のノイズキャンセル機能がオン／オフの状態毎に、車載用ハンズフリー電話装置におけるバランスのとれたノイズキャンセル機能のチューニング（調整）を必要とする。すなわち、携帯電話機がハンズフリー状態となった場合に、該携帯電話機のノイズキャンセル機能がオンであるかオフであるかによって、車載用ハンズフリー電話装置のノイズキャンセル機能のチューニング（調整）が必要である。
【００１１】
本発明は、上述の点に鑑みてなされたものであり、接続する携帯電話機のノイズキャンセル機能がオン／オフの状態毎に、ノイズキャンセル機能の調整ができるハンズフリー電話装置及びノイズキャンセル機能判別装置並びにノイズキャンセル方法を提供することを目的とする。
【課題を解決するための手段】
【００１２】
上記課題を解決するため、本発明のハンズフリー電話装置は、
携帯電話機との間で近距離無線通信を行い、該携帯電話機を介して他の電話装置との間で通信処理を行うハンズフリー電話装置であって、
前記携帯電話機は、ノイズキャンセル機能を備え、
ハンズフリー状態の携帯電話機は、該携帯電話機のノイズキャンセル機能がオンであるかオフであるかを判別するノイズキャンセル機能判別装置に接続し、該ノイズキャンセル機能判別装置は、該携帯電話機により送信された擬似信号に基づいて、そのノイズキャンセル機能がオンであるかオフであるかを判別し、
擬似ノイズ及び擬似音声を生成し、生成した擬似ノイズと擬似音声とが合成された擬似信号を送信する擬似信号生成手段と、
前記擬似信号に対して前記ノイズキャンセル機能判別装置により送信されたノイズキャンセル機能がオンであるかオフであるかを示す情報に基づいて、ノイズキャンセル処理を行うノイズキャンセル手段と
を備えることを特徴の１つとする。
【００１３】
このように構成することにより、ハンズフリー状態の携帯電話機のノイズキャンセル機能がオンであるかオフであるかに基づいて、ノイズキャンセル処理を行うことができる。
【００１４】
また、別の構成では、
携帯電話機の識別子と、該携帯電話機がハンズフリー状態である場合にノイズキャンセル機能がオンであるかオフであるかを示す情報とを関連づけて記憶する記憶手段
を備え、
前記ノイズキャンセル手段は、前記記憶手段に記憶されたノイズキャンセル機能がオンであるかオフであるかを示す情報に基づいて、ノイズキャンセル処理を行うように構成される。
【００１５】
このように構成することにより、接続する携帯電話機がハンズフリー状態である場合にノイズキャンセル機能がオンであるかオフであるかを示す情報を記憶でき、記憶された情報に基づいて、ノイズキャンセル処理を行うことができる。
【００１６】
さらに、別の構成では、
接続された携帯電話機が前記記憶手段に記憶されているか否かを判定する判定手段
を備え、
前記擬似信号生成手段は、前記携帯電話機が前記記憶手段に記憶されていない場合に、前記ノイズキャンセル機能判別装置から、該携帯電話機に対するノイズキャンセル機能がオンであるかオフであるかを示す情報を取得するために、擬似信号を送信するように構成される。
【００１７】
このように構成することにより、接続された携帯電話機が前記記憶手段に記憶されていない場合にノイズキャンセル機能判別装置に接続し、該携帯電話機がハンズフリー状態である場合にノイズキャンセル機能がオンであるかオフであるかを示す情報を取得できる。
【００１８】
また、別の構成では、
前記ノイズキャンセル機能判別装置は、前記擬似信号における擬似音声のレベルを求め、求めた擬似音声のレベルが予め決定される所定の閾値以上であるか否かを判別することにより、前記携帯電話機におけるノイズキャンセル機能がオンであるかオフであるかを判別するように構成される。
【００１９】
さらに、別の構成では、
前記ノイズキャンセル機能判別装置は、前記擬似音声のレベルが前記所定の閾値以上である場合には、前記携帯電話機におけるノイズキャンセル機能がオンであると判別し、前記擬似音声のレベルが前記所定の閾値未満である場合には、前記携帯電話機におけるノイズキャンセル機能がオフであると判別するように構成される。
【００２０】
このように構成することにより、ハンズフリー電話装置により送信された擬似信号に基づいて、前記携帯電話機におけるノイズキャンセル機能がオンであるかオフであるかを判別できる。
【００２１】
また、別の構成では、
前記ノイズキャンセル手段は、ユーザが発話した音声信号に対して、ノイズキャンセル処理を行うように構成される。
【００２２】
このように構成することにより、ユーザが発話した音声に対して、最適なノイズキャンセル処理を行うことができる。
【００２３】
本発明のノイズキャンセル機能判別装置は、
携帯電話機との間で近距離無線通信を行い、該携帯電話機を介して他の電話装置との間で通信処理を行うハンズフリー電話装置と接続されるノイズキャンセル機能判別装置であって、
前記携帯電話機は、ノイズキャンセル機能を備え、
前記ハンズフリー電話装置は、擬似ノイズ及び擬似音声を生成し、生成した擬似ノイズと擬似音声とが合成された擬似信号を送信し、該擬似信号を受信したハンズフリー状態の携帯電話機は、該擬似信号をノイズキャンセル機能判別装置に送信し、
前記擬似信号に基づいて、該携帯電話機のノイズキャンセル機能がオンであるかオフであるかを判別する判別手段と、
ノイズキャンセル機能がオンであるかオフであるか示す判別結果を、前記ハンズフリー電話装置に送信する送信手段と
を備えるように構成される。
【００２４】
このように構成することにより、ハンズフリー電話装置により送信され、携帯電話機を介して受信された擬似信号に基づいて、該携帯電話機のノイズキャンセル機能がオンであるかオフであるかを判別でき、ハンズフリー電話装置に通知できる。
【００２５】
本発明のノイズキャンセル方法は、
携帯電話機との間で近距離無線通信を行い、該携帯電話機を介して他の電話装置との間で通信処理を行うハンズフリー電話装置を備えるハンズフリーシステムにおけるノイズキャンセル方法であって、
ハンズフリー状態の携帯電話機が、該携帯電話機のノイズキャンセル機能がオンであるかオフであるかを判別するノイズキャンセル機能判別装置に接続する接続ステップと、
前記ハンズフリー電話装置が、擬似ノイズ及び擬似音声を生成し、生成した擬似ノイズと擬似音声とが合成された擬似信号を、前記ノイズキャンセル機能判別装置に送信する擬似信号送信ステップと、
前記ノイズキャンセル機能判別装置が、前記擬似信号に基づいて、該携帯電話機のノイズキャンセル機能がオンであるかオフであるかを判別する判別ステップと、
前記ハンズフリー電話装置が、前記擬似信号に対して送信されたノイズキャンセル機能がオンであるかオフであるかを示す情報に基づいて、ノイズキャンセル処理を行うノイズキャンセルステップと
を有するように構成される。
【００２６】
このようにすることにより、ハンズフリー状態の携帯電話機のノイズキャンセル機能がオンであるかオフであるかに基づいて、ノイズキャンセル処理を行うことができる。
【発明の効果】
【００２７】
本発明の実施例によれば、接続する携帯電話機のノイズキャンセル機能がオン／オフの状態毎にノイズキャンセル機能の調整ができるハンズフリー電話装置及びノイズキャンセル機能判別装置並びにノイズキャンセル方法を実現できる。
【発明を実施するための最良の形態】
【００２８】
次に、本発明を実施するための最良の形態を、以下の実施例に基づき図面を参照しつつ説明する。
【００２９】
なお、実施例を説明するための全図において、同一機能を有するものは同一符号を用い、繰り返しの説明は省略する。
【００３０】
本発明の実施例に係るハンズフリー電話装置について、図１を参照して説明する。
【００３１】
本実施例に係るハンズフリー電話装置１００は、例えば携帯電話機等の移動体電話機との間で近距離無線通信を行うことによってその移動体電話機を介してハンズフリー状態での通信を実現する。例えば、運転者が複数の移動体電話機を所持している場合や、運転者や後部座席等に座っている乗員が複数の移動体電話機を所持している場合など、車両内に複数の移動体電話機が存在する場合に、ハンズフリー電話装置と複数の移動体電話機との間で近距離無線通信を行うことによって何れかの移動体電話機を介したハンズフリー通信を行う。
【００３２】
ハンズフリー電話装置１００は、ハンズフリー電話装置１００と、このハンズフリー電話装置１００に接続されたハンズフリーセットを構成するマイクロフォン１１、スピーカ１２、ディスプレイ１３及びテンキーを含む複数の操作スイッチから構成される操作パネル１４とを備える。また、ハンズフリー電話装置１００には、エンジンコントローラ５００からの信号が入力される。ハンズフリー電話装置１００は、近距離無線通信モジュール、例えばブルートゥース（Bluetooth）（登録商標）モジュールを内蔵する。ブルートゥースは、２．４ＧＨｚのＩＳＭバンド（Industry  Science  Medical  band）を利用した周波数ホッピング型のスペクトラム拡散通信方式を採用し、１Ｍｂｐｓ以上の速度で通信を行うことができる。
【００３３】
一方、携帯電話機２００１、２００２、・・・、２００ｎ（ｎは、ｎ＞０の整数）も近距離無線通信モジュール、例えばブルートゥースモジュールを内蔵する。この場合、ハンズフリー電話装置１００と携帯電話機２００１、２００２、・・・、２００ｎの各々は、ブルートゥースにより、無線通信可能である。例えば、各携帯電話機２００１、２００２、・・・、２００ｎとハンズフリー電話装置１００との距離が略１０ｍ以内であればピコネットと呼ばれる無線ＬＡＮを構築できる。ピコネットとは、ブルートゥース規格に従った通信処理をする端末同士を近付けた際に、当該端末間で一時的に形成されるネットワークである。ピコネット内において、例えば、ハンズフリー電話装置１００はマスタとして機能し、携帯電話機２００１、２００２、・・・、２００ｎはスレーブとして機能する。ハンズフリー電話装置１００は所定時間の経過毎に問い合わせ（インクワイアリ）を行い、ピコネットを構成する携帯電話機を検出し、検出された携帯電話機の識別子、例えば電話番号を認識する。
【００３４】
また、携帯電話機２００１、２００２、・・・、２００ｎは、ノイズキャンセル機能を有する。携帯電話機２００１、２００２、・・・、２００ｎがハンズフリー状態となった場合に、このノイズキャンセル機能がオンとなるかオフとなるかは各携帯電話機２００の仕様により予め決定される。
【００３５】
本実施例においては、一例としてハンズフリー電話装置１００と携帯電話機２００１、２００２、・・・、２００ｎのいずれかとの間で行われる近距離無線通信方式の具体例として、ブルートゥース規格に準拠した無線通信が行われる場合について説明するが、他の近距離無線通信方式を適用するようにしてもよい。
【００３６】
次に、本実施例に係るハンズフリー電話装置１００の構成について、図２を参照して説明する。
【００３７】
ハンズフリー電話装置１００は、携帯電話機２００１、２００２、・・・、２００ｎのいずれか及び通信網、例えば移動体通信網１０を介して、通信相手の移動体電話機５０と接続する。これにより、ハンズフリー電話装置１００は、移動体電話機５０との間での通信処理を可能とする。
【００３８】
また、ハンズフリー電話装置１００は、携帯電話機２００１、２００２、・・・、２００ｎのいずれか及び通信網、例えば移動体通信網１０を介して、ノイズキャンセル機能判別装置としてのセンター装置３００と接続する。センター装置３００は、ハンズフリー電話装置１００により送信された後述する擬似ノイズと擬似音声とが合成された擬似信号に基づいて、該ハンズフリー電話装置１００と接続されている携帯電話機のハンズフリー機能がオンであるかオフであるかを判別し、判別結果を該ハンズフリー電話装置１００に通知する。このようにすることにより、ハンズフリー電話装置１００は、接続中の携帯電話機２００のノイズキャンセル機能がオンであるかオフであるかを知ることができ、そのノイズキャンセル機能のオン／オフ状態に基づいて、ノイズキャンセル処理を行うことができる。
【００３９】
ハンズフリー電話装置１００は、携帯電話機２００１、２００２、・・・、２００ｎとの間で近距離無線通信を行うためのアンテナ１０２と、ブルートゥース(BT:  Bluetooth)通信部１０４と、判定手段としての制御部１０６と、音声処理部１０８と、記憶部１１０と、Ａ／Ｄ変換部(ADC:  Analog  Digital  Converter)１１２と、マイクロフォン１１４と、Ｄ／Ａ変換部(DAC:  Digital  Analog  Converter)１１６と、スピーカ１１８とを備える。音声処理部１０８は、擬似音声発生部１０８１と、擬似ノイズ発生部１０８２と、ノイズキャンセル(N/C:  Noise  canceller)部１０８３と、エコーキャンセル(E/C:  echo  canceller)部１０８４とを備える。ノイズキャンセル部１０８３は、加算器１０８５と、パラメータ選択部１０８６とを備える。
【００４０】
アンテナ１０２は、携帯電話機２００１、２００２、・・・、２００ｎから送信された無線電波を受信し、送受共用器（図示なし）を介してＲＦ信号としてBT通信部１０４に入力する。BT通信部１０４は、アンテナ１０２により入力されたＲＦ信号に例えば所定の逆拡散処理及び復調処理などのブルートゥース規格における下位レイヤの処理を行い、得られたベースバンド信号に所定のベースバンド処理を施し、得られた信号を音声処理部１０８に入力する。音声処理部１０８は、制御部１０６による制御に従い、例えばプロトコル処理やプロファイル処理などのブルートゥース規格における上位レイヤの処理を行う。具体的には、音声処理部１０８は、携帯電話機２００１、２００２、・・・、２００ｎから情報を受信する際に、ベースバンド信号が入力された場合には、当該ベースバンド信号が示すパケットデータを解釈し、当該パケットデータに含まれる情報、例えば通信内容を示す音声データを取り出す。音声データは、Ｄ／Ａ変換部１１６に入力され、スピーカ１１８により出力される。制御部１０６は、例えば記憶部１１０や図示しないメモリに記憶された通信制御プログラムに従った処理を行う。
【００４１】
また、音声処理部１０８は、携帯電話機２００１、２００２、・・・、２００ｎに情報を送信する際に、マイクロフォン１１４により入力され、Ａ／Ｄ変換部１１２によりデジタル信号に変換された情報を含むブルートゥース規格に従ったパケットデータを作成し、ＢＴ通信部１０４に入力する。この音声処理部１０８から出力される情報としては、音声内容を示す音声データ等がある。具体的には、音声データは、Ａ／Ｄ変換部１１２からエコーキャンセル(E/C:  echo  canceller)部１０８４に入力される。この音声データには、スピーカ１１８からの音声が車内で反響してマイクロフォン１１４に入力し、音響エコーとなったものが含まれる。エコーキャンセル部１０８４では、音声データから音響エコーを消去する処理が行われ、音響エコーが消去された音声データはノイズキャンセル(N/C:  Noise  canceller)部１０８３に入力される。例えば、エコーキャンセル部１０８４は、Ａ／Ｄ変換部１１２から入力される音声信号を参照信号として適応フィルタによってエコー経路の伝達特性を適応的に推定することによりエコー打ち消し信号を生成し、生成したエコー打ち消し信号を入力された音声信号から差し引くことにより、音響エコーを消去する。
【００４２】
ノイズキャンセル部１０８３では、入力されたデジタル信号に混入したノイズをキャンセルする処理が行われ、ノイズがキャンセルされた信号はBT通信部１０４に入力される。例えば、パラメータ選択部１０８６は、制御部１０６から入力される後述する携帯電話機２００のノイズキャンセル機能がオンであるかオフであるかを示す情報に基づいて、予め予測されるノイズパターンから最適なパラメータを選択する。ノイズキャンセル部１０８３では、加算部１０８５において、エコーキャンセル部１０８４により入力された音声データからパラメータ選択部１０８６において選択されたノイズパターンを差し引く処理が行われる。例えば、加算部１０８５では、エコーキャンセル部１０８４により入力された音声データと、パラメータ選択部１０８６において選択されたノイズパターンを反転させた信号とが加算される。
【００４３】
擬似ノイズ発生部１０８２は、擬似ノイズを発生し、擬似音声発生部１０８１に入力する。例えば、擬似ノイズ発生部１０８２は、図３に示すように同一レベルＶ１（ｄＢＶ）のノイズを生成する。擬似音声発生部１０８１は擬似音声を発生し、入力された擬似ノイズと合成し、BT通信部１０４に入力する。例えば、擬似音声発生部１０８１は、図４に示すように、デューティー比がＴ２／（Ｔ１＋Ｔ２）で、振幅がＶ２（ｄＢＶ）となるパルス信号を生成する。そして、擬似音声発生部１０８１は、生成した擬似音声と入力された擬似ノイズとを、図５に示すようにノイズレベルが一定となるように合成することにより擬似信号を生成し、BT通信部１０４に入力する。
【００４４】
BT通信部１０４は、携帯電話機２００１、２００２、・・・、２００ｎのいずれかとの間での通信を確立する処理や、再送制御処理等の通信制御処理を実行する。BT通信部１０４は、ノイズキャンセル部１０８３及び擬似音声発生部１０８１により入力された信号に所定のベースバンド処理を行い、得られたベースバンド信号に例えば所定の変調処理及び拡散処理などのブルートゥース規格における下位レイヤの処理を行い、得られたＲＦ信号をアンテナ１０２に入力する。アンテナ１０２は、BT通信部１０４から送受共用器を介して入力されたＲＦ信号を電波として、携帯電話機２００１、２００２、・・・、２００ｎに送信する。
【００４５】
記憶部１１０は、自ハンズフリー電話装置１００が接続する携帯電話機の識別子と、該携帯電話機がハンズフリー状態においてノイズキャンセル機能がオンであるかオフであるかを示す情報を紐付けして、言い換えれば関連づけて記憶する。
【００４６】
制御部１０６は、音声制御部１０８及びBT通信部１０４の制御を行う。例えば、ハンズフリー電話装置１００は、エンジンが始動されたことを示すエンジン起動信号がエンジンコントローラ５００から制御部１０６に入力されることにより起動する。制御部１０６は、センター装置３００から送信されたハンズフリー機能がオンであるかオフであるかを示す情報を、携帯電話機の識別子と紐付けして記憶部１１０に保管する。
【００４７】
次に、本実施例に係るセンター装置３００について説明する。
【００４８】
センター装置３００は、携帯電話機２００１、２００２、・・・、２００ｎとの間で無線通信を行うためのアンテナ３０２と、送信手段としての無線通信部３０４と、制御部３０６と、判別手段としてのノイズキャンセル機能判別部３０８とを備える。
【００４９】
アンテナ３０２は、ハンズフリー電話装置１００から送信された擬似ノイズと擬似音声とが合成された擬似信号の無線電波を、携帯電話機２００を介して受信し、送受共用器（図示なし）を介してＲＦ信号として無線通信部３０４に入力する。無線通信部３０４は、アンテナ３０２により入力されたＲＦ信号に例えば所定の逆拡散処理及び復調処理など下位レイヤの処理を行い、得られたベースバンド信号に所定のベースバンド処理を施し、得られた信号をノイズキャンセル機能判別部３０８に入力する。ノイズキャンセル機能判別部３０８は、制御部３０６による制御に従い、入力された擬似信号に基づいて、携帯電話機２００のノイズキャンセル機能がオンであるかオフであるかを判別する。例えば、ノイズキャンセル機能判別部３０８は、図６に示すような擬似信号が入力された場合、該擬似信号における擬似音声のレベルを求め、求めた擬似音声のレベルΔＶが予め決定される所定の閾値Ｖｔｈ以上であるか否かを判別する。この所定の閾値は、ノイズキャンセルの性能に応じて適宜変更可能である。擬似音声のレベルΔＶが所定の閾値Ｖｔｈ以上である場合には、擬似ノイズがキャンセルされたと判別され、携帯電話機におけるノイズキャンセル機能がオンであると判別される。一方、擬似音声のレベルΔＶが所定の閾値Ｖｔｈ未満である場合には、擬似ノイズがキャンセルされていないと判別され、携帯電話機におけるノイズキャンセル機能がオフであると判別される。
【００５０】
制御部３０６は、ノイズキャンセル機能判別部３０８において判別された携帯電話機２００におけるノイズキャンセル機能がオンであるかオフであるかを示す情報をハンズフリー電話装置１００に通知するように制御する。その結果、ノイズキャンセル機能がオンであるかオフであるかを示す情報は、無線通信部３０４により、アンテナ３０２を介して携帯電話機２００に送信され、その後携帯電話機２００からハンズフリー電話装置１００に通知される。
【００５１】
このように構成することにより、ハンズフリー電話装置１００により送信され、携帯電話機２００を介して受信された擬似信号に基づいて、該携帯電話機のノイズキャンセル機能がオンであるかオフであるかを判別できる。
【００５２】
次に、携帯電話機２００がハンズフリー電話装置１００に新たに登録される場合に行われる処理について、図７を参照して説明する。ハンズフリー電話装置１００は、ハンズフリー状態となった携帯電話機２００のノイズキャンセル機能がオンであるかオフであるかを示す情報を、センター装置３００により取得し、携帯電話機の識別子と関連づけて記憶する。
【００５３】
ハンズフリー電話装置１００の制御部１０６は、携帯電話機２００を登録する（ステップＳ７０２）。例えば、携帯電話機の識別子、例えば電話番号が登録される。
【００５４】
次に、ハンズフリー電話装置１００のBT通信部１０４は、近距離無線通信方式、例えばブルートゥースにより携帯電話機２００に接続要求を送信する（ステップＳ７０４）。ハンズフリー電話装置１００からの接続要求により、ハンズフリー電話装置１００のBT通信部１０４と、携帯電話機２００との間で所定の無線接続処理が行われる。携帯電話機２００は、接続要求に対する接続応答を送信する（ステップＳ７０６）。その結果、ハンズフリー電話装置１００と携帯電話機２００との間で近距離無線通信方式による無線接続が確立される。
【００５５】
ハンズフリー電話装置１００の制御部１０６は、BT通信部１０４に対して、センター装置への接続要求（センター装置接続要求）を携帯電話機２００に送信するように命令し、BT通信部１０４は、携帯電話機２００にセンター装置接続要求を送信する（ステップＳ７０８）。
【００５６】
携帯電話機２００は、ハンズフリー電話装置１００により送信されたセンター装置接続要求に基づいて、センター装置３００に対して接続要求を送信する（ステップＳ７１０）。携帯電話機２００からの接続要求により、センター装置３００の無線通信部３０４と、携帯電話機２００との間で所定の無線接続処理が行われる。センター装置３００は、接続要求に対する接続応答を送信する（ステップＳ７１２）。その結果、センター装置３００と携帯電話機２００との間で無線接続が確立される。携帯電話機２００は、自携帯電話機２００とセンター装置３００との間で無線接続が完了したことを通知するために、ハンズフリー電話装置１００に接続応答を送信する（ステップＳ７１４）。
【００５７】
ハンズフリー電話装置１００の制御部１０６は、携帯電話機２００から接続応答を受信すると、擬似ノイズ発生部１０８２及び擬似音声発生部１０８１に対して、擬似ノイズ及び擬似音声を発生するように命令する。擬似ノイズ発生部１０８２は、制御部１０６による制御に従って擬似ノイズを生成し、擬似音声発生部１０８１に入力する。擬似音声発生部１０８１は、擬似音声を生成し、入力された擬似ノイズと合成して擬似信号を作成し、BT通信部１０４に入力する。BT通信部１０４は、擬似音声発生部１０８１により入力された擬似信号を携帯電話機に送信する（ステップＳ７１６）。
【００５８】
携帯電話機２００は、ハンズフリー電話装置１００により送信された擬似信号を受信すると所定の処理を行い、センター装置３００に送信する（ステップＳ７１８）。この所定の処理において、携帯電話機の機種においては、ノイズキャンセル処理が行われる場合がある。
【００５９】
センター装置３００のノイズキャンセル機能判別部３０８は、携帯電話機２００から送信された擬似信号に基づいて、携帯電話機２００におけるノイズキャンセル機能がオンであるかオフであるかを判別する（ステップＳ７２０）。例えば、擬似ノイズと擬似音声とが混じった擬似信号における擬似音声のレベルに基づいて、該レベルが予め決定される所定の閾値以上であればノイズキャンセル機能がオンであると判別され、該レベルが予め決定される所定の閾値未満であればノイズキャンセル機能がオフであると判別される。
【００６０】
センター装置３００の制御部３０６は、ノイズキャンセル機能判別部３０８における判別結果をハンズフリー電話装置１００に通知するように命令する。その結果、携帯電話機２００におけるノイズキャンセル機能がオンであるかオフであるかを示す情報（ノイズキャンセル機能オン／オフ情報）は携帯電話機２００を介して、ハンズフリー電話装置１００に通知される（ステップＳ７２２、Ｓ７２４）。
【００６１】
ハンズフリー電話装置１００の制御部１０６は、センター装置３００から送信されたハンズフリー機能オン／オフ情報を、携帯電話機の識別子と紐付けして記憶部１１０に保管する（ステップＳ７２６）。
【００６２】
このようにすることにより、ハンズフリー通話を行う携帯電話機のノイズキャンセル機能がオンであるかオフであるかを示す情報を保持できる。このため、記憶部１１０に既に登録されている携帯電話機であれば、この保持された情報に基づいて、接続の度にセンター装置３００を接続する必要なく、該携帯電話機のノイズキャンセル機能がオンであるかオフであるかを認識できる。
【００６３】
次に、携帯電話機の識別子と該携帯電話機のハンズフリー状態におけるノイズキャンセル機能がオンであるかオフであるかを示す情報とが紐付けして記憶された後におけるハンズフリー電話装置１００における処理について、図８を参照して説明する。
【００６４】
携帯電話機の選択が行われる（ステップＳ８０２）。例えば、複数の携帯電話機が登録されている場合、予め決定される優先順位に従って接続する携帯電話機の選択が行われる。
【００６５】
制御部１０６は、記憶部１１０に記憶された携帯電話機の識別子と、ノイズキャンセル機能がオンであるかオフであるかを示す情報に従って、選択された携帯電話機のハンズフリー状態におけるノイズキャンセル機能がオンであるかオフであるかを判断する（ステップＳ８０４）。
【００６６】
ノイズキャンセル機能がオンである場合（ステップＳ８０４：ＹＥＳ）、制御部１０６は、パラメータ選択部１０８６にノイズキャンセル機能がオンであることを示す情報を入力する。パラメータ選択部１０８６は、ノイズキャンセル機能がオンであることを示す情報に基づいて、予め予測されるノイズパターンからノイズキャンセル機能がオンである場合に使用されるパラメータを選択する（ステップＳ８０６）。一方、ノイズキャンセル機能がオフである場合（ステップＳ８０４：ＮＯ）、制御部１０６は、パラメータ選択部１０８６にノイズキャンセル機能がオフであることを示す情報を入力する。パラメータ選択部１０８６は、ノイズキャンセル機能がオフであることを示す情報に基づいて、予め予測されるノイズパターンからノイズキャンセル機能がオフである場合に使用されるパラメータを選択する（ステップＳ８０８）。
【００６７】
その後、待機状態となる（ステップＳ８１０）。
【００６８】
マイクロフォン１１４により入力されたユーザからの音声は、Ａ／Ｄ変換部１１２によりデジタル信号に変換され、エコーキャンセル部１０８４に入力される。エコーキャンセル部１０８４では、入力された音声データから音響エコーが消去され、ノイズキャンセル部１０８３に入力される。ノイズキャンセル部１０８３では、加算部１０８５において、エコーキャンセル部１０８４により入力された音声データからパラメータ選択部１０８６において選択されたノイズパターンを差し引く処理が行われることによりノイズキャンセル処理が行われる。この場合、ノイズキャンセル機能がオンであるかオフであるかによって異なるパラメータにより、ノイズキャンセル処理が行われる。ノイズキャンセル処理が行われた音声データは、BT通信部１０４にされる。
【００６９】
このように、ハンズフリー状態における携帯電話機のノイズキャンセル機能の状態、すなわちノイズキャンセル機能がオンであるかオフであるかに応じて、ハンズフリー電話装置におけるノイズキャンセル機能に適用されるパラメータを選択することにより、より騒音や、音声の違和感を低減できる。
【００７０】
次に、本発明の他の実施例に係るハンズフリー電話装置について説明する。
【００７１】
本実施例に係るハンズフリー電話システムは、上述した実施例において、接続する携帯電話機が記憶部１１０に登録されていない場合に、自動的にセンター装置３００に接続して、ノイズキャンセル機能がオンであるかオフであるかを示す情報を取得するようにしたものである。
【００７２】
本実施例に係るハンズフリー電話装置１００及びセンター装置３００の構成は上述した実施例と同様である。
【００７３】
次に、携帯電話機２００がハンズフリー電話装置１００に新たに登録される場合に行われる処理について、図９を参照して説明する。ハンズフリー電話装置１００は、ハンズフリー状態となった携帯電話機のノイズキャンセル機能がオンであるかオフであるかを示す情報を、記憶部１１０に保管されていない場合に、センター装置３００により取得し、携帯電話機の識別子と関連づけて記憶する。
【００７４】
ハンズフリー電話装置１００の制御部１０６は、携帯電話機２００を登録する（ステップＳ９０２）。例えば、携帯電話機の識別子、例えば電話番号が登録される。
【００７５】
次に、ハンズフリー電話装置１００の制御部１０６は、登録履歴があるか否かを判断する（ステップＳ９０４）。例えば、登録した携帯電話機の識別子が記憶部１１０に保管されているか否かを判断する。
【００７６】
登録履歴がある場合（ステップＳ９０４：ＹＥＳ）、すなわち記憶部１１０に登録された携帯電話機の識別子が存在する場合、ハンズフリー状態におけるノイズキャンセル機能がオンであるかオフであるか分かるため処理を終了する。一方、登録履歴がない場合（ステップＳ９０４：ＮＯ）、すなわち記憶部１１０に登録された携帯電話機の識別子が存在しない場合、図７を参照して説明したステップＳ７０４以降の処理が行われる。
【００７７】
このようにすることにより、ハンズフリー通話を行う携帯電話機のノイズキャンセル機能がオンであるかオフであるかを示す情報を、記憶部１１０に保管されていない場合に取得できる。このため、登録の度にセンター装置３００を接続する必要なく、該携帯電話機のノイズキャンセル機能がオンであるかオフであるかを認識できる。
【図面の簡単な説明】
【００７８】
【図１】本発明の一実施例にかかるハンズフリー電話装置を示す構成図である。
【図２】本発明の一実施例にかかるハンズフリー電話装置を示す構成図である。
【図３】擬似ノイズを示す説明図である。
【図４】擬似音声を示すフロー図である。
【図５】ハンズフリー電話装置の出力端における擬似ノイズと擬似音声との合成信号を示す説明図である。
【図６】センター装置の入力端における擬似ノイズと擬似音声との合成信号を示す説明図である。
【図７】本発明の一実施例にかかるハンズフリー電話システムの動作を示すフロー図である。
【図８】本発明の一実施例にかかるハンズフリー電話装置の動作を示すフロー図である。
【図９】本発明の一実施例にかかるハンズフリー電話装置の動作を示すフロー図である。
【符号の説明】
【００７９】
１０  通信網
１１  マイクロフォン
１２  スピーカ
１３  ディスプレイ（表示部）
１４  操作パネル（操作入力部）
５０  移動体電話機
１００  ハンズフリー電話装置
１０２  アンテナ
１０４  BT通信部
１０６  制御部
１０８  音声制御部
１０８１  擬似音声発生部
１０８２  擬似ノイズ発生部
１０８３  ノイズキャンセル部
１０８４  エコーキャンセル部
１０８５  加算器
１０８６  パラメータ選択部
１１０  記憶部
１１２  Ａ／Ｄ変換部
１１４  マイクロフォン
１１６  Ｄ／Ａ変換部
１１８  スピーカ
２００（２００１、２００２、・・・、２００ｎ）  携帯電話機
３００  センター装置
３０２  アンテナ
３０４  無線通信部
３０６  制御部
３０８  ノイズキャンセル機能判別部
５００  エンジンコントローラ
【図１】
2008306561.tif 000003
【図２】
2008306561.tif 000004
【図３】
2008306561.tif 000005
【図４】
2008306561.tif 000006
【図５】
2008306561.tif 000007
【図６】
2008306561.tif 000008
【図７】
2008306561.tif 000009
【図８】
2008306561.tif 000010
【図９】
2008306561.tif 000011